(57)【要約】【課題】  ユーザにとって、見やすく、かつ何処で発生しているかをわかりやすく提示するアナンシエータ表示機器。【解決手段】  可搬型のタブレット型の端末であって、自身のＧＰＳ情報を取得する位置情報取得手段と、自身が所属する設備エリアに属する複数のポイントの機器ＧＰＳ情報及びアラームステータスを設備監視装置から取得する監視装置インタフェース手段と、通常アラーム表示と誇張アラーム表示との２つのモード切替え操作を処理する表示操作手段と、属する前記設備エリアおよび前記モード切替え操作に基づいて、前記通常アラーム表示モードでは一覧で前記複数のポイントのアラーム状態を表示し、前記誇張アラーム表示モードではアラーム状態にある所定のポイントのアラーム表示を拡大して表示するアナンシエータ表示手段と、を備えるアナンシエータ表示端末。【選択図】  図１
2015064821.tif 000002
【特許請求の範囲】
【請求項１】
可搬型の情報機器であって、
自身の位置情報を取得する位置情報取得手段と、
自身が所属する設備エリアに属する複数のポイントの機器データベース及びアラームステータスを設備監視装置から取得する監視装置インタフェース手段と、
通常アラーム表示と誇張アラーム表示とのモード切替え操作を処理する表示操作手段と、
前記設備エリアおよび前記モード切替え操作に基づいて、
前記通常アラーム表示モードでは一覧で前記複数のポイントのアラーム状態を表示し、
前記誇張アラーム表示モードでは前記複数のポイントのうちアラーム状態にあるポイントを拡大して表示するアナンシエータ表示手段と、
を備えるアナンシエータ表示端末。
【請求項２】
前記位置情報は、ＧＰＳ情報であるもの、あるいはＧＰＳ情報に加えて高度情報があるもの、のいずれかであることを特徴とする、請求項１のアナンシエータ表示端末。
【請求項３】
前記アナンシエータ表示手段は、
前記誇張アラーム表示モードでは、
前記複数のポイントのうち最接近の位置にあるポイントのアラーム表示を拡大して表示するアナンシエータ表示手段であること、
を特徴とする請求項１または請求項２のアナンシエータ表示端末。
【発明の詳細な説明】
【技術分野】
【０００１】
この発明は、ビルやプラントなど設備に設置された複数の設備機器を管理する設備監視システムにおいて、発生する事象を監視する所謂アナンシエータの表示技術にかかる。
設備機器では大量の温度、湿度などの環境データ、および使用電力などのエネルギーデータにかかるアラームが発生するので、現場でそれらを表示するアナンシエータ表示端末に関する。
【背景技術】
【０００２】
従来から、設備監視システムにおいては、複数の場所に設置された監視カメラで撮像された映像を、縮小して合成することにより多分割画面を生成し、複数箇所の映像の同一画面表示を実現している。また、任意の映像を選択し、画面全体で拡大表示を行うことで細部を確認することも可能である。特許文献1における発明では、複数の映像の表示において、任意の映像を拡大表示する場合、画面構成の切換えを行うことで、それぞれの映像表示領域の位置やサイズを変え、ユーザにとって見やすい多分割画面を生成、表示することができる使い勝手が向上する発明を提案する。特許文献１の発明では、事象の表示をカメラ映像の例をとって述べているが、多分割画面表示を必要とするシステムへの応用は可能である（特許文献２）。
【０００３】
次に、特許文献３を紹介すると、ここでは、設備の特に高所に設定された機器の位置を特定する技術が開示されている。機器管理ＤＢで、機器情報として当該機器が設置されている位置情報として標高からなる設置高度を含む機器情報を蓄積しておき、端末装置において、表示要求操作に応じて位置情報表示部により、対象機器の機器情報を機器管理ＤＢから取得し、取得した機器情報に含まれる機器の設置高度から高度検出部で検出した現在高度を減算して得られた差分高度を、画面表示部で画面表示する。これにより、機器についてメンテナンスを行う場合、保守作業者が機器の設置場所に出向いて作業を行う必要があるが、このとき対象機器の設置場所を容易に特定することができる。特に、長期間にわたり機器のメンテナンスを行っていない場合や、経験の浅い保守作業者の場合に、機器の設置場所を正確に特定することが容易になる。
【先行技術文献】
【特許文献】
【０００４】
【特許文献１】特開２００８-０２８８７６号公報
【特許文献２】特開２００８-２５６６５１号公報
【特許文献３】特開２０１１-１８６９８４号公報
【発明の概要】
【発明が解決しようとする課題】
【０００５】
特許文献１および特許文献２の発明では、アナンシエータ表示の方法が提案されているが、それらは基本的に画面表示上の技術に過ぎず、設備の何処で発生したアラームであるのかは画面上の識別子などで調査するしかない。すなわち、設備の巡回メンテナンスなどの現場作業で保守対象とする設備機器を特定し、喫緊の作業に役立つように利用することには向かない
【０００６】
一方、特許文献３の発明では、設備概況を示すグラフィック図面的な画面上で、対象機器の位置情報を提示することで、その機器を特定することが容易になり、巡回的パトロールにてメンテナンス作業にあたるには有効である。しかしもしも、その現場においてアラームが発生しており、その機器を第一に見つけ出して急ぎ作業に当たらなければならない場合にはさほど有効な手立てではない。
【０００７】
本願発明はこのような従来技術を応用するが、アナンシエータ表示を行う携帯型のユーザ端末において、アラーム原因を調査する必要がある機器を現場のユーザ端末の位置から特定して、アラームが発生中の機器の場所へ直行することができて、緊急の保守作業に資することを課題とする。
【課題を解決するための手段】
【０００８】
本願発明は、可搬型の情報機器であって、
自身の位置情報を取得する位置情報取得手段と、
自身が所属する設備エリアに属する複数のポイントの機器データベース及びアラームステータスを設備監視装置から取得する監視装置インタフェース手段と、
通常アラーム表示と誇張アラーム表示とのモード切替え操作を処理する表示操作手段と、
前記設備エリアおよび前記モード切替え操作に基づいて、
前記通常アラーム表示モードでは一覧で前記複数のポイントのアラーム状態を表示し、
前記誇張アラーム表示モードでは前記複数のポイントのうちアラーム状態にあるポイントを拡大して表示するアナンシエータ表示手段と、
を備えるアナンシエータ表示端末である。
【０００９】
さらに、前記位置情報は、ＧＰＳ情報であるもの、あるいはＧＰＳ情報に加えて高度情報を含むもののいずれかであることを特徴とするアナンシエータ表示端末である。
また、前記アナンシエータ表示手段は、誇張アラーム表示モードでは、
前記複数のポイントのうち最接近の位置にあるポイントのアラーム表示を拡大して表示するアナンシエータ表示手段であること、を特徴とするアナンシエータ表示端末である。
【発明の効果】
【００１０】
本願発明は、アナンシエータ表示を行う携帯可搬型のユーザ端末において、対象とする機器を含む設備エリアを現在のユーザ端末の位置から限定して、その範囲内に属する機器群を特定したうえで、ピンポイントでアラームが発生中の機器を拡大指定して、緊急の保守作業に役立つ効果がある。
【図面の簡単な説明】
【００１１】
【図１】本願発明の実施の一形態にかかる設備監視システムにおけるアナンシエータ表示端末の構成を示す。
【図２】本発明の実施の一形態にかかる設備エリアにおけるアラーム表示画面の態様を示す。
【図３】本願発明のアナンシエータ表示端末にかかる動作フローを示す
【発明を実施するための形態】
【００１２】
以下、本願発明を実施の形態に基づき説明する。図１はこの発明の一実施の形態を示す設備監視システムの全体構成を示す図である。
設備監視装置１は、ビルや工場などの設備に設置された複数の設備機器２（例えば空調機や冷温水ポンプなど）を管理するものである。設備監視装置１は、各設備機器２と通信ネットワーク３を介して接続されている。
【００１３】
設備監視装置１は、図１に示すように、機器ＤＢ登録手段１１、ネットワーク通信手段１２、機器ＤＢ記憶手段１３、データ収集手段１４、表示端末Ｉ／Ｆ手段１５、履歴情報管理手段１６、などから構成されている。
【００１４】
機器ＤＢ登録１１は、各設備機器２におけるセンサ計測点（以下「ポイント」と称する）の定義を登録するものである。各設備機器２はこの定義に沿って運転を行うもので種種の設定パラメータが備えられるが、本発明では特に機器ＤＢに、各ポイントが設備の位置的に何処にあるかなどを示す情報が登録されている。そのポイントあたりのデータ構造を次の表１に示す。
【００１５】
【表１】
2015064821.tif 000003
このように、ポイントの識別子となるポイント名称（Ｄ１），属する設備エリアを特定する設備エリア識別子（Ｄ２）、続いて位置情報として緯度（Ｄ３）経度（Ｄ４）および高度（Ｄ５）、さらに、アラームにかかるデータ情報（Ｄ６）などで構造的に配列される。
なお、位置情報は、直接定義入力されるほか、特許文献３にあるように端末とのやりとり情報で取得されることでもよい。また、それらデータベースは機器ＤＢ記憶手段１３のメモリ、ディスクなどに保存される。
【００１６】
ネットワーク通信手段１２は、複数の設備機器２と有線または無線のネットワーク（通信回線）３で接続し、種々のアラームを含むデータ読込みおよび制御パラメータの書き込みなどを掌る。
なお、本設備監視装置１は単体で実装してもよいが、これ自体もネットワーク３で分散された複数サーバの分散形態、またはイーサネット（登録商標）などに接続されたクラウドコンピューティングで実装されてもよいものである。
【００１７】
データ収集手段１４は、各設備機器２からネットワーク通信手段１２を介して設備機器２の運転状況に関するデータ（特にアラームデータ）を収集するものである。アラームデータには、設備機器２を識別するポイント名称（表１のＤ１相当）、当該設備機器２の正常異常状態を示すデジタルデータ、各種アナログ(連続量)データのステータス、およびそれらのアラーム内訳情報（表１のＤ６相当）も含まれる。
【００１８】
表示端末Ｉ／Ｆ手段１５は、アナンシエータ表示端末５とインタフェース（Ｉ／Ｆ）して、アナンシエータ表示端末５となる携帯型のタブレットＰＣなどのユーザ端末画面に表示を制御するものである。また所定の操作としてユーザ操作を受け付けることもある。
ここで、ユーザ操作としては、本発明にかかるアラーム表示の切替え要求（後述する）する。また各設備機器２の運転計画と運転実績との差異を示す履歴一覧表の表示を要求する履歴一覧表示要求こともある。履歴情報管理手段１６はそのための詳細情報を適宜作成して、表示端末Ｉ／Ｆ手段１５に提供するのである。いわゆるジャーナルレポートである。
なお、表示端末Ｉ／Ｆ手段１５とアナンシエータ表示端末５との間は、モバイル環境のために無線通信が望ましく、送受信アンテナ３１〜３２でやり取りされる。
【００１９】
次に、設備機器２の構成を説明する。設備機器２自体はマイクロプロセッサ、メモリ、各種周辺装置で実装される。
外部または内部にセンサ４を備えて、温度、湿度その他の環境データ、および電力消費量などのエネルギーデータを取得する。センサ４はフィールドバスなどにより入力部２２に複数接続されることでもよい。
【００２０】
入力部２２から取得されたセンサの各種データはアナログで０〜１００％または℃等の工業量、またはディジタル（Ｂｏｏｌｅａｎ）データで用いられる。通信部２１がそれらデータを設備監視装置１へ通信（通告）する。このように一定間隔で通信することを「通告」と呼ぶ。通信で報告するの意味である。
特に、本発明では上記のデータから異常状態を検知して自己設備機器から「アラーム」として上位の設備監視装置１へ遂次自発的に通告することが通信効率上望ましく、その制御はデータ通告部２０で実行される。
【００２１】
クロック部２３は、内部のＲＴＣ（ＲｅａｌＴｉｍｅＣｌｏｃｋ）から一定のサンプリングタイムを生成する。通常はｍＳｅｃから秒のオーダーである。このサンプリングタイムごとに、設備機器２の機能部が動作する。さらにサンプリングタイムから分周して通告間隔となる通告タイミングも生成する。通常は数十秒から分のオーダーである。通告間隔は設備監視装置１での履歴一情報管理手段１６の仕様に基づいて決められるが、アラームについては上記のとおり最速なタイミングで処理される。
【００２２】
メモリ部２４には、設備機器の運転に関するデータのほか、センサにかかるディジタル、アナログ一点ごとに複数のデータが構造的に格納される。特に、アラームにかかる定義データ、ステータスなどもここに貯蔵される。
【００２３】
次に、本願発明の主体であるアナンシエータ表示端末５説明する。
監視装置Ｉ／Ｆ手段５１は、設備監視装置１とインタフェース通信することで、機器ＤＢ（表１に示すデータ）および現アラームステータスなどをダウンロードで取得する。機器ＤＢをポイント総数のデータを一括で取得するか、適宜動作に応じたタイミングで取得するかは任意である。
【００２４】
位置情報取得手段５２は、アナンシエータ表示端末５自身の位置情報を取得するものである。ＧＰＳ（Ｇｌｏｂａｌ  Ｐｏｓｉｔｉｏｎｉｎｇ  Ｓｙｓｔｅｍ）情報を取得する機能を備え、さらに地球標高の高さを得る高度計をつないでもよい。建物など高さにより設備が階層になっている場合には高度も必要になるが、平地工場の場合はＧＰＳだけでもよいものである。
【００２５】
表示操作手段５３は、各種情報の表示をそのための操作を掌るもので、表示には液晶、有機ＥＬなどのフラットパネルを備え、操作はその上でのタッチパッドなどで行う。
その他、アナンシエータ表示手段５４が本発明の特徴である機能を実行するもので、これは詳しくは後述する。
【実施例】
【００２６】
図２で、本発明の実施の一形態にかかる設備エリアにおけるアラーム表示画面の態様を示す。
建物設備の例をとり、建物の棟１００の設備監視に関する例を示す。いま保守員（本アナンシエータ表示端末を携えた人間）がポジション１０１にあったとする。そのポジションが含まれる設備エリア１０２が１００棟の４階東側であると定義されているとする。
なお、設備エリアと位置情報の関連はある程度の幅を持たせていることになる。緯度・経度はその区画範囲で定められ、高さは何ｍから何ｍまでの幅を持つ。
【００２７】
通常のアナンシエータ表示画面の例をノーマルアラーム表示画面１１０に示す。ここでは、設備エリア１０２に属するアラーム対象ポイント（１６個）が一覧で示されている。
いま、その３行３列目にあるポイントと４行２列目にあるポイントがアラーム状態にあるので、誇張モード表示に切替え操作するとポジション１０１に最接近の方のポイントが選ばれて、その旨の誇張アラーム表示画面１２０に切り替わる。上部に当該アラームが拡大表示されて、そのほかのポイントは縮小される。拡大されたポイントは、アイコン（赤四角）および、設備エリア、アラームデータ内訳、さらにポイント名称とデータなどが、アラームの説明記述として付されている（図２中の拡大ポイント表示部１２１）。そのほかは縮小ポイント表示部である（１２２）。
【００２８】
ノーマルアラーム表示画面１１０から誇張アラーム表示画面１２０への移行は、アラーム発生ポイントがあれば可能で、逆にリターン移行はいつでも可能である。また、画面１１０または画面１２０から適宜選択されたエリアのグラフィック表示画面１３０に移ることで、関連するマップ情報を得ることも可能である。
【ソフトウエアの説明】
【００２９】
さて、アナンシエータ表示端末５のアナンシエータ表示手段５４の機能について、図３のフローチャートに基づいて説明する。
まず、自身の位置情報をＧＰＳ及び／または高度計から取得する。さらに、設備管理装置１から機器ＤＢおよびステータスを読み込む（図３中のステップＳ０１）。
続いて、何をどのように表示するのかを設定する表示モードのチェックに入る（ステップＳ０２）。イニシャルは通常（ノーマル）モードとして、図２の例でのノーマルアラーム表示画面１１０が選ばれ、それ以外はステップＳ０３に移行する。
【００３０】
ステップＳ１０のノーマルモードに入ったら、まず自身の位置情報から自位置がどこか有効な設備エリアにあるかを判断する（ステップＳ１１）。位置情報と設備エリアの区画の対応関係は予め本端末は記憶しているものとする。
そこで、有効なる設備エリアがあった場合にはＳ１２へ進む。さもないと、設備範囲外にあり無効として分岐し、ステップＳ０１へ戻る。
【００３１】
次に、有効な設備エリアの中でアラーム発生中のポイントがあるかどうかを判断する（ステップＳ１２）。もしアラーム０であったなら、所属ポイントを一覧で示すだけの静的な画面となる（ステップＳ１３）。一方、アラームのポイントが一つでもあったならば、そのポイントを赤色などの警告的な表示形態で一覧表示配列に表示する（ステップＳ１４）。これがノーマルアラーム表示画面１１０になる。
【００３２】
次に、誇張モードに移行したの場合（ステップＳ０３）を述べるが、あくまでもアラームあってのモードであるので、ステップＳ１３の一覧表示動作実行の後は、この誇張モードはスキップされる。さて、誇張モードでは、自位置と当該ポイントの位置情報群から最も近い（最接近の）アラームポイントを抽出する（ステップＳ２１）。そして、画面上部へ当該ポイントに関する情報を拡大表示する（ステップＳ２２）。これが誇張アラーム表示画面１２０となる。
最接近のポイントを抽出するやり方は、当該すべてのポイントについて、
自位置（緯度、経度、また高さ）とポイント位置（同様）との偏差距離を各座標について求め、二乗和（平方根）を求めることで容易に求まるはずである。
【００３３】
その他の画面例として、ステップＳ０３を通過してその他モード（Ｓ３０）で、その他の監視画面表示を選択して表示することができる（ステップＳ３１）。本対象となる設備エリアのグラフィッ図面かサマリグラフ系統図、または該当ポイントディテール画面などが考えられる。
【００３４】
最後に集約する、ステップＳ４０で、タッチパネル操作による表示モードの切替えを処理する。
操作があるまで所定の時間Ｗａｉｔする小ループが記されているように、タッチパッドなどの入力を待つが、本アナンシエータ表示端末が地理的に移動した場合には、イニシャルステップＳ０１へ強制的に移行するなどの処理が適宜設計されるべきであることはもちろんである。
【００３５】
上記の例では、誇張モードで、最接近のポイントを拡大して表示する旨で説明したが、最接近ポイントを一つ取り出さずに、当該設備エリア内でアラーム発生中のポイントを全数または所定数を拡大して表示することでもよい。そのような実施は本発明の範囲に入ることになる。
【産業上の利用可能性】
【００３６】
ビルなどの空調機器に関する設備監視で、全体システムにかかるアラームデータをすべて一箇所で集中的に表示するよりも、現在ユーザの存在する設備エリア単位で分散的に表示することのほうが有益な場合がある。すなわち、緊急なるメンテナンスで対象を絞り込むことで、本願発明は利用の可能性は高い。
【符号の説明】
【００３７】
１  設備監視装置
２  設備機器
３  通信ネットワーク
４  センサ
５  アナンシエータ表示端末
１００  建物棟
１０１  アナンシエータ表示端末ポジション
１０２  設備エリア（１００棟  ４階東側）
１１０  ノーマルアラーム表示画面
１２０  誇張アラーム表示画面
１２１  拡大ポイント表示部
１２２  縮小部ポイント表示部
１３０  その他画面
【図１】
2015064821.tif 000004
【図２】
2015064821.tif 000005
【図３】
2015064821.tif 000006